(57)【特許請求の範囲】
【請求項１】
アーチ型頂部材(2)と左右側辺部材(3)・(3)と底辺部材(4)をそれぞれ分割し、その分割部位における各接合縁部材(21)・(31)を対向内向きに成形して接合連結し、及び当該側辺部材の下部に位置する接合縁部材(31)と底辺部材の左右縁辺部(41)を連結して成形した厚さ(D)が最小で３０ｃｍ、最大４０cｍに設定したアーチ型枠(A)を地山の法面(1)の左右方向及び上下方向に連続して設置し、そのアーチ型枠(A)の内部を型枠閉塞部材(6)で閉塞し、そのアーチ型枠(A)を残してコンクリート材料を地山の法面(1)に吹き付けて３０ｃｍ〜４０cｍの厚さの吹付層(7)を成形し、当該吹付層が硬化した後に前記のアーチ型枠(A)を脱枠し、頂部にアーチ部を有する縦長形に凹んで成形された擁壁凹部(B)にウォールプランタ(8)を載置し、且つそのウォールプランタ(8)をアンカー(9)を用いて地山の法面(1)又は擁壁凹部(B)側に取り付けて設置し、前記ウォールプランタ(8)の内面に沿って通気性と排水性を有するマット(10)を敷き込み、次いで客土を入れた後、低花木の植栽工を行うことを特徴とするコンクリート修景擁壁の施工方法。
【請求項２】
アーチ型頂部材(2)と左右側辺部材(3)・(3)と底辺部材(4)に分割し、その分割部位における各接合縁部材(21)・(31)を対向内向きに成形して接合連結した型枠部材を連結して成形した厚さ(D)が最小で３０ｃｍ、最大４０cｍに設定したアーチ型枠(A)を成形し、当該アーチ型枠を地山の法面(1)に設置し、且つその型枠内部を閉塞部材(6)を介して塞ぐと共に、アーチ型枠(A)を残してコンクリート材料を地山の法面(1)に吹付けることによって成形された吹付層(7)が硬化した後に前記のアーチ型枠(A)を脱枠し、頂部にアーチを有する頂部(20)、左右側辺部(30)・(30)、底辺部(40)を有する縦長形に凹んだアーチ型の擁壁凹部(B)を成形し、且つウォールプランタ(8)を前記のコンクリート擁壁凹部(B)にはめ込むと共に底辺部(40)の上に載置し、アンカー(9)で固定したことを特徴とするコンクリート修景擁壁。
【請求項３】
アーチ型枠(A)を構成する型枠部材のうち、アーチ型頂部材(2)を金属パネルとし左右側辺部材(3)・(3)及び底辺部材(4)をプラスチック若しくは木製等の非金属材料を用いた請求項１記載のコンクリート修景擁壁の施工方法。
【発明の詳細な説明】
【０００１】
【産業上の利用分野】
本発明はコンクリート修景擁壁の施工方法及びその修景擁壁に関するもので、自然の植栽工と親しみやすいコンクリート修景擁壁の設置によって無味乾燥な人工的法面の緑化効果と修景効果が高められるようにしたことを目的とする。
【０００２】
【従来の技術】
一般に道路建設、急傾斜地、土地造成等における法面を保護するためにコンクリートで擁壁したものは周知である。
上記のコンクリート擁壁は堅固であるが、人工構造により無味乾燥であるため景観に乏しい。また、コンクリート構造物は、表面が荒々しく、特に人家の密集する地区、観光地等にあって、自然環境の高まりと共に敬遠され、安らぎを与える自然の緑の趣向が求められている。
そこで最近では、コンクリート擁壁面に草本類を植栽して自然の景観を得ようとすることが行われている。
例えば本願の出願人においても、実公昭５５−３６５９４号（実用新案登録第１３７８４７０号）において、人工材料よるコンクリート吹付け法面にポケット部を設けて客土袋を植栽孔を残して埋設し、その植栽孔に丈の低い樹木を植えることによって緑化できる工法を提供した。
またその後、実公平４−２１９４号（実用新案登録第１９３７０９９号）において、植栽用容器の背面をコンクリート法面等に設置するように配置し、前記容器に掛け回した棒状の抱持部材と底部の取付具とで法面に打ち込んだアンカーで装着固定するプランター装置を提供した。そして、これらによって、特に人工造成地の景観及び環境の保護に寄与している。
【０００３】
ところが、上記考案のうち、前者の登録実用新案においては、既設のコンクリート法面等に設置する場合は、客土袋を設置する部位の法面をはつって除去する必要があるが、前記のはつる作業は大仕事であって常に行えるとは限らない。
また後者の登録実用新案にあっては、植栽容器をコンクリート法面等に設置する場合、アンカー等で設置固定する作業が非常にしづらく、またその作業にも危険が伴っていた。
【０００４】
そこで、本願出願には、さらに特願平６−３２１３１０号（特開平８−１５１６４７号、特許第２８９０１０１号）において、「既設の擁壁にアーチ型枠によって縦長形に凹んだ擁壁面を形成し、且つ下辺部に横桟金具を取付けたコンクリート層を成形し、前記のコンクリート擁壁にボックス型の一側面を開放し、且つそのボックス外表面を擁壁に合わせた形状にしたウォールプランタを前記横桟金具の上に載置すると共に、孔付き固定金具・アンカーで固定し、当該ウォールプランタ内面に沿って通気性と排水性を有する安全マットを敷き込むと共に、植栽工を行うための客土を充填した既設コンクリート構造物面修景装置」の発明を提供した。
【０００５】
これによって、アーチ型枠によって凹んだ擁壁面の内側底部に設けた横桟棚具によってウォールプランタを安定して支受することができる。
また、そのウォールプランタは、工場での製作に適する二次製品であるため、強度が大きく品質が均一であると共に、一側面が開放されているため、そのボックスの一側面の肉厚分が省略され、その肉厚分だけ植栽スペースが広いため、多彩な植栽が可能であり、しかも擁壁面に合わせた外表面形状にすることにより、人工的とはいえ擁壁面との統一も図れ、周辺環境に調和した植栽で安らぎを与えることができる、等の効果が得られた。
【０００６】
【発明が解決しようとする課題】
ところが、上記の特許発明にあっては、既設のコンクリート法面等に設置する場合には好適であるが、法面の新規工事のように条件によっては、吹付面の厚さが既設のコンクリート面の厚さの３〜４倍程もある場合は、型枠の高さもそれに見合う高さにしなければならない。
そのため、型枠全体の重量も３〜４倍も増大することになり、法面の高所作業には非能率的であると共に危険が伴っていた。
【０００７】
【課題を解決するための手段】
そこで、本発明は、発明の目的を達成し、且つ従来技術の課題を解決するために提供するものである。本発明の１は、コンクリート修景擁壁の施工方法において、アーチ型頂部材と左右側辺部材と底辺部材をそれぞれ分割し、その分割部位における各縁辺を対向内向きに成形して接合連結し、及び当該側辺部材の下部に位置する接合縁部材３1と底辺部材の左右縁辺部４1を連結して成形した厚さが最小で３０ｃｍ、最大４０cｍに設定したアーチ型枠を地山の法面の左右方向及び上下方向に連続して設置し、そのアーチ型枠の内部を型枠閉塞部材で閉塞し、そのアーチ型枠を残してコンクリート材料を地山の法面に吹き付けて３０ｃｍ〜４０ｃｍの吹付層を成形し、当該吹付層が硬化した後に前記のアーチ型枠を脱枠し、頂部にアーチ部を有する縦長形に凹んで成形された擁壁凹部にウォールプランタを載置し、且つそのウォールプランタをアンカーを用いて法面又は擁壁凹部側に取り付けて設置し、前記ウォールプランタの内面に沿って通気性と排水性を有するマットを敷き込み、次いで客土を入れた後、低花木の植栽工を行うものである。
【０００８】
本発明の第２はコンクリート修景擁壁において、アーチ型頂部材と左右側辺部材と底辺部材に分割し、その分割部位における各接合縁部材を対向内向きに成形して接合連結した型枠部材を連結して成形した厚さが最小で３０ｃｍ、最大４０cｍに設定したアーチ型枠を成形し、当該アーチ型枠を地山の法面に設置し、且つその型枠内部を閉塞部材を介して塞ぐと共に、アーチ型枠を残してコンクリート材料を地山の法面に吹付けることによって成形された吹付層が硬化した後に前記のアーチ型枠を脱枠し、アーチを有する頂部、左右側辺部、底辺部を有する縦長形に凹んだアーチ型の擁壁凹部を成形し、且つウォールプランタを前記のコンクリート擁壁凹部にはめ込むと共に底辺部の上に載置し、アンカーで固定したものである。
【０００９】
本発明の第３は、第１の発明に係るコンクリート修景擁壁の施工方法において、アーチ型枠を構成する型枠部材のうち、アーチ型頂部材を金属パネルとし、左右側辺部材及び底辺部材をプラスチック若しくは木製等の非金属材料を用いたものである。
【００１０】
【実施例】
以下、本発明の実施例を図面を以て説明する。図において、１は法面である。本発明に係る図２及び図４・図５にあっては地山を示す。符号Ａはアーチ型枠であり、所定の半径Ｒで逆Ｕ字状に形成したアーチ型頂部材２と、左右側辺部材３・３と、底辺部材４に分割した各型枠部材を、その接合部材２1・３1をボルト・ナット５で脱着できるように連結してある。そして、前記の型枠部材のうち、アーチ型頂部材２を金属製パネルで作製し、且つ左右側辺部材３・３と底辺部材４を木製プレート若しくはプラスチックプレート等で作製する。図１及び図２において、前記アーチ型枠Ａの厚さＤは、図３及び図５のコンクリート吹付層の厚さＤ′に相当するものとし、図示例にあっては３０〜４０ｃｍ程度に設定してある。
【００１１】
６はアーチ型枠Ａの平面を覆う板状又はシート状の覆蔽部材、７はアーチ型枠Ａの内側を残して法面にコンクリート材料を所定の厚さで吹付けて形成するコンクリート層である。
８はボックス型の一側面８１を開放したウォールプランタであり、プレキャストコンクリート材料で製作するのを可とする。
なお、そのウォールプランタの外表面は、擁壁が石積み又はブロック積み擁壁等所望の表面に加工してある。
９は前記のウォールプランタ８を法面側に取付け固定するためのアンカー、１０はウォールプランタ８の内面に沿って敷き込むための通気性と排水性を有する安全マット、１１はウォールプランタ内に入れた客土、１２はウォールプランタ内に施す植栽工であり、つる植物又は苗木等の低花木を植栽する。１３は植栽した低花木の根元に敷き詰めるマルチバークを示す。１４はウォールプランタ８に取り付けたアンカー用ブラケットを示す。
【００１２】
図中Ｂはコンクリート層７からアーチ型枠Ａを脱枠した跡に形成された擁壁凹部、２０はその擁壁凹部の頂部、３０は擁壁凹部の左右側辺部、４０は擁壁凹部の底辺部である。
また、２１は左右側辺部材３・３の途中に設けた管状の受け具であり、間隔保持用の横桟２１の鉤形端部２１１を挿入掛止してある。２３は左右側辺部材３・３の適宜個所に設けたアーチ型枠２を法面１に仮止めするための止め金具を示す。
【００１３】
【具体的な施工例】
上記の実施例に基づく具体的な施工例を説明する。まず、分割式の型枠部材となるアーチ型頂部材２と左右の側辺部材３を、その接合縁部材２1・３1をボルト・ナット５で連結し、及び当該側辺部材の下部に位置する接合縁部材３1と底辺部材４の左右縁辺部４1をボルト・ナッ５で連結してアーチ型枠Ａを組み立てる。
そして、組み立てたアーチ型枠Ａを地山の法面１に沿って適宜の間隔を保持して横列と縦列に配列設置する。このとき、必要に応じてアーチ型枠Ａを止め金具２３にアンカーを打ち込んで地山の法面に仮止めし、且つ横桟２２を左右側辺部材３・３の受け具２１に挿入掛止して当該側辺部材の横幅の間Ｗを保持しておく。
【００１４】
次に、覆蔽部材６をアーチ型枠Ａの平面に被せ、この状態で、アーチ型枠Ａの内側を残して地山の法面１にコンクリート材料を所定の厚さＤ′（アーチ型枠の厚さＤに相当する）で吹付けてコンクリート層７を成形する。そして、吹付けたコンクリート層７が硬化した後に、閉塞部材６を取り去り、次いで仮止め金具２３のアンカーを抜き、間隔保持用の横桟２１を受け具２２から取外して前記のアーチ型枠Ａをコンクリート層７から除去する。この場合、組み立てたアーチ型枠Ａのままでは脱枠できない場合は、型枠部材２・３の接合縁部材２1・３1を連結しているボルト・ナット５を外し、また、側辺部材３の下部に位置する接合縁部材３1と底辺部材４の左右縁辺部４1を連結しているボルト・ナット５を外して分離して除去する。アーチ型枠Ａを脱枠した跡にアーチ型の擁壁凹部Ｂが形成される。
【００１５】
続いて、ウォールプランタ８を擁壁凹部Ｂにはめ込むと共に底辺部４０に載置すると共にアンカー９を法面１に打ち込んで当該プランタを法面側に固定する。前記ウォールプランタ８の内面に沿って通気性と排水性を有する安全マット１０を敷き込み、次いで客土１１を入れた後、つる植物又は苗木等の低花木の植栽工１２を行う。植栽後苗木の根元に、乾燥防止、雑草の抑制を行うためのマルチバーク１３を敷き詰める。
この状態でコンクリート層７に当たる雨水は、当該コンクリート層の表面を伝ってアーチ型枠Ａを脱枠したコンクリート層の縁辺７０に到達すると、その縁辺からコンクリート層７の擁壁凹部Ｂに落ち込み、さらにその凹んだ状態の法面を伝ってウォールプランタ８内に集水される。
【００１６】
【発明の効果】
本発明は上記の構造であるから、修景を必要とする法面に容易に取付けることができ、無味乾燥なコンクリート構造物を自然の植栽の緑で緑化することができると共に、その法面とアーチ型枠を横列及び縦列に多数配置してコンクリート材料を吹付けすることにより、アーチ型の擁壁凹部が形成され、これにウォールプランタをはめ込み設置することにより、その多数のアーチ曲線によってその美的景観が一層向上する。
また、アーチ型枠を構成する型枠部材は、複雑なアーチ曲面を有する頂部材だけを金属にするほかは、左右側辺部材及び底辺部材を木製又は段ボール等の非金属の材料を用いることにより、コンクリート層を厚くするために型枠部材の厚さがあっても全体重量の軽量化が図れ、作業及び運搬等に便利である。
そして、そのウォールプランタは、工場での製作に適する二次製品であるため、強度が大きく品質が均一である。且つ、ウォールプランタは、一側面が開放されているため、そのボックスを形成するための一側面の肉厚分が省略され、その肉厚分だけ植栽スペースが広いため、多彩な植栽が可能であり、しかも擁壁面に合わせた外表面形状にすることにより、人工的とはいえ擁壁面との統一も図れ、周辺環境に調和した植栽で安らぎを与えることができる。
さらに、安全マットの設置で乾燥に強い構造となり、夏季には温度上昇を抑制し、且つ冬季には保温効果が保持される。
【図面の簡単な説明】
【図１】  本願発明に係るアーチ型枠の斜視図である。
【図２】  アーチ型枠を法面に設置した状態の縦断側面図である。
【図３】  アーチ型擁壁凹部にウォールプランタをはめ込み設置した状態の斜視図である。
【図４】  法面に多数のアーチ型擁壁凹部を形成し、これにウォールプランタをはめ込み設置した状態の正面図である。
【図５】  擁壁凹部にはめ込み設置したウォールプランタに植栽した状態の拡大縦断面図である。
【符号の説明】
Ａ    アーチ型型枠
Ｂ    擁壁凹部
１    法面
２    アーチ頂部材
３    左右側辺部材
４    底辺部材
５    ボルト・ナット
６    閉塞部材
７    コンクリート吹付層
８    ウォールプランタ
９    アンカー
１０  安全マット
１１  客土袋
１２  植栽工
１３  マルチバーク
１４  ブラケット
【図２】
0004151871.tif 000002
【図３】
0004151871.tif 000003
【図４】
0004151871.tif 000004
【図５】
0004151871.tif 000005
【図１】
0004151871.tif 000006